(57)【要約】【課題】カード貯留部１２とカード排出口８へ振り分け案内する振分案内板１４が薄いカードを確実に振り分け案内可能な精度を保ちつつ一時貯留庫内に入ってしまった規格外カード等を容易に取り出すことができるようにすることを目的とする。【解決手段】  挿入されたカード型記憶媒体Ｃを、カード通路６を介し、カード貯留庫１２内、カード排出口８外、およびカード挿入口４外のいずれかへ導き、カード貯留部１２とカード排出口８との間に設けられ、カード通路６上を導くカード型記憶媒体Ｃを、カード貯留庫１２側またはカード排出口８側に振り分けて案内する振り分け案内板１４とを備え、振り分け案内板１４は、カード貯留庫１２の一部乃至全部を外部に露出するよう、振り分け案内板１４の作動方向と異なる方向１０１に移動可能とした。【選択図】図１２
2010240269.tif 000002
【特許請求の範囲】
【請求項１】
カード型記憶媒体を受け入れるカード挿入口と、該カード挿入口と連通するカード通路と、該カード通路と連通しカード型記憶媒体を貯留可能なカード貯留庫と、該カード貯留庫と並列に設けられ前記カード通路と連通するカード排出口とが形成された本体と、
前記カード挿入口から挿入されたカード型記憶媒体を、前記カード通路を通じて、前記カード貯留庫内、前記カード排出口外、および前記カード挿入口外のいずれかへ導くことが可能なカード導き手段と、
前記カード通路上のリードライト位置に設けられ、該リードライト位置に導かれたカード型記憶媒体からのデータの読み取りおよび／または該カード型記憶媒体へのデータの書き込みを行うカード処理手段と、
前記カード貯留部と前記カード排出口との間に配設されて該カード貯留庫と該カード排出口との仕切り壁として形成されるとともに、カード型記憶媒体の受入方向側において該受入方向と異なる方向であって正逆２方向に移動可能に設けられ、該移動した先の位置に応じて、前記カード通路上のカード型記憶媒体を、該カード貯留庫側または該カード排出口側に振り分けて案内する振り分け案内部と、
該振り分け案内部の位置を変位させる案内部駆動手段と、
前記カード処理手段によって前記リードライト位置のカード型記憶媒体から読み取られまたは該カード型記憶媒体に書き込まれたデータの内容に応じて、前記案内部駆動手段を制御して、該カード型記憶媒体を、前記カード貯留庫内、前記カード排出口外、および前記カード挿入口外のいずれかへ選択的に搬送させる制御部と、
を備えるカード処理装置において、
前記振り分け案内部は、前記カード貯留庫の一部乃至全部を外部に露出するよう、前記正逆２方向と異なる方向に移動可能であることを特徴とするカード処理装置。
【請求項２】
前記カード処理装置は、開くと少なくとも前記振り分け案内部を外部に露出状態としたり、閉じると非露出状態とすることが可能なドア部材を備え、前記ドア部材を開いて前記振り分け案内部を外部に露出状態とした場合に、前記振り分け案内部を、前記正逆２方向と異なる方向に前記カード貯留庫の一部乃至全部を外部に露出するよう移動可能とすることを特徴とする請求項１記載のカード処理装置。
【請求項３】
前記振り分け案内部における仕切り壁が、前記正逆２方向へ平行移動、または前記カード型記憶媒体の受入方向側を回動先端側とし前記カード型記憶媒体の受入方向と反対側を回転軸とした回動によって移動可能であることを特徴とする請求項１または請求項２いずれか記載のカード処理装置。
【請求項４】
前記振り分け案内部における仕切り壁が、前記正逆２方向と異なる方向へ、平行移動、または回動によって移動可能であることを特徴とする請求項１乃至請求項３いずれか記載のカード処理装置。
【請求項５】
請求項１乃至請求項４記載のカード処理装置と連動して、前記カード処理装置の前記カード処理手段によって読み取りまたは書き込んだ情報に応じて遊技媒体を排出するための処理を行うことを特徴とする遊技媒体排出装置。
【請求項６】
請求項５記載の遊技媒体排出装置を複数備え、該複数の遊技媒体排出装置と通信可能に接続され、前記読み取りまたは書き込んだ情報を記憶管理する管理装置を備えることを特徴とする遊技媒体排出処理システム。
【発明の詳細な説明】
【技術分野】
【０００１】
本発明は、カード形状記憶媒体の記憶情報を読み取るまたは／及び書き込むカード処理装置、及びカード処理装置と連動してパチンコ玉やメダルを払い出す為の処理をする遊技媒体排出装置、遊技媒体排出処理システムに関わる技術に関する。
【背景技術】
【０００２】
従来、特許文献１のようなカード処理装置Ａは、カード貯留庫１２に再発行可能に一時貯留可能であり、水平方向の一方向に開口して設けられたカード挿入口から縦形状で受け入れたカードをカード通路６を介し、タイミングベルト１６によって搬送してカード貯留庫１２または排出口８のいずれかに導くことが可能である。つまりカード処理装置Ａは、カード貯留庫１２にカードを貯留可能なスペースが残っている場合には振り分け案内板１４をカードの受け入れ方向側において一方の方向に水平回動させて受け入れカードをカード貯留庫１２に導き、カード貯留庫１２に貯留させる。一方、カード貯留庫１２が再発行可能なカードで満杯の場合には、受け入れたカードを受け入れ方向側において他方に水平回動させて排出口８が開口する側に導き、受入カードを排出口８から下方に落下させる。そして、遊技客が金銭を投入するとカード貯留庫１２から再発行可能に貯留されたカードを１枚取り出して、投入された金銭分の有価価値情報を記憶させる。
【０００３】
このような振り分け案内板１４は、ステッピングモータで動かすか、電磁石の吸引や反発によって動かす等の方法が考えられるが、ステッピングモータやの場合、カードリーダのような小型の装置には配置するスペースを取るのが困難であるため電磁石を用いるようにした。また補充する手間を省くため一時貯留庫１２に再発行可能にできるだけ多くのカードを貯留することが望ましいが、薄型のカードをカード貯留庫１２または排出口８のいずれかに確実に導くには、水平回動する回動先端部が非常に少なく、製品では０．５ｍｍ程度の非常に精密な精度が要求される幅を電磁石によって制御している。
【特許文献１】特許３６０５１０９号
【発明の開示】
【発明が解決しようとする課題】
【０００４】
しかしながら、振り分け案内板１４は上記の０．５ｍｍ幅しか動かすことができないので、一時貯留庫１２に折れたり変形したカードや類似カード等の規格外カードが貯留されると、この０．５ｍｍ幅の隙間から規格外カードを取り出すことが困難になるという課題がある。ドア部材２ｂを開けると振り分け案内板１４を大きく水平回動可能にすると、ドア部材２ｂを閉じた際に上記の０．５ｍｍ幅で回動させることが、ドア部材２ｂの取り付けのあそびによって困難である。
【０００５】
本発明は、このような事情に鑑みてなされたもので、振り分け案内板の動作について薄いカードを確実に振り分け可能な精度を保ちつつ一時貯留庫内に入ってしまった規格外カード等を容易に取り出すことができるようにすることを目的とする。
【課題を解決するための手段】
【０００６】
上記課題を解決するため本発明のカード処理装置は、カード型記憶媒体を受け入れるカード挿入口と、該カード挿入口と連通するカード通路と、該カード通路と連通しカード型記憶媒体を貯留可能なカード貯留庫と、該カード貯留庫と並列に設けられ前記カード通路と連通するカード排出口とが形成された本体と、前記カード挿入口から挿入されたカード型記憶媒体を、前記カード通路を通じて、前記カード貯留庫内、前記カード排出口外、および前記カード挿入口外のいずれかへ導くことが可能なカード導き手段と、前記カード通路上のリードライト位置に設けられ、該リードライト位置に導かれたカード型記憶媒体からのデータの読み取りおよび／または該カード型記憶媒体へのデータの書き込みを行うカード処理手段と、前記カード貯留部と前記カード排出口との間に配設されて該カード貯留庫と該カード排出口との仕切り壁として形成されるとともに、カード型記憶媒体の受入方向側において該受入方向と異なる方向であって正逆２方向に移動可能に設けられ、該移動した先の位置に応じて、前記カード通路上のカード型記憶媒体を、該カード貯留庫側または該カード排出口側に振り分けて案内する振り分け案内部と、該振り分け案内部の位置を変位させる案内部駆動手段と、前記カード処理手段によって前記リードライト位置のカード型記憶媒体から読み取られまたは該カード型記憶媒体に書き込まれたデータの内容に応じて、前記案内部駆動手段を制御して、該カード型記憶媒体を、前記カード貯留庫内、前記カード排出口外、および前記カード挿入口外のいずれかへ選択的に搬送させる制御部と、を備えるカード処理装置において、前記振り分け案内部は、前記カード貯留庫の一部乃至全部を外部に露出するよう、前記正逆２方向と異なる方向に移動可能であることを特徴とする。
【０００７】
この発明によれば、カード貯留庫により多く貯留可能な薄いカードを、振り分け案内部を正逆２方向に精密に移動させてカード貯留庫とカード排出口外へ確実に導くことができ、正逆２方向の精密動作に影響しない方向である正逆２方向と異なる方向に振り分け案内部を移動させてカード貯留庫の一部乃至全部を外部に露出させることができるので、カード貯留庫に詰まった規格外のカード型記憶媒体を、容易に取り除くことができる。
【０００８】
なお、カード導き手段の導くとは、例えば、回転する無端ベルトとカードを当接させた際の摩擦力によって搬送する例、カードを重力によって通路の向う方向に滑落または落下させて導く例、等が例示できる。
【０００９】
なお、カード型記憶媒体の受入方向側において該受入方向と異なる方向であって正逆２方向に移動可能とは、例えば、水平方向の一方向に開口して設けられたカード挿入口から縦形状で受け入れたカード型記憶媒体をカード通路を介し、タイミングベルトによって搬送して、その搬送方向と略直角であって水平に、振り分け案内部の受入方向側の一端を回動させる例、上方に向かって開口して設けられたカード挿入口から受け入れたカード型記憶媒体を垂直落下乃至所定傾斜角度で滑落させ、落下または滑落方向と４４度から４６度（例えば）の傾斜で、振り分け案内部の受入方向側の一端を回動させる例、などが例示できる。
【００１０】
なお、正逆２方向と異なる方向とは、例えば正逆２方向に垂直な方向、例えば４５度の方向、例えば６０度の方向、等が例示できる。
【００１１】
また本発明のカード処理装置は、上記構成に加えて、前記カード処理装置は、開くと少なくとも前記振り分け案内部を外部に露出状態としたり、閉じると非露出状態とすることが可能なドア部材を備え、前記ドア部材を開いて前記振り分け案内部を外部に露出状態とした場合に、前記振り分け案内部を、前記正逆２方向と異なる方向に前記カード貯留庫の一部乃至全部を外部に露出するよう移動可能とすることを特徴とする。
【００１２】
この発明によれば、ドア部材を開いて振り分け案内部を外部に露出状態とした場合に、振り分け案内部を、正逆２方向と異なる方向に前記カード貯留庫の一部乃至全部を外部に露出するよう移動可能とするので、ドア部材を開いて、カード貯留庫の一部乃至全部を露出させることで、カード貯留庫内の規格外カードのつまりを容易に除去できるとともに、通常のカード貯留庫またはカード排出口外へ確実に導くことができる。
【００１３】
また本発明のカード処理装置は、上記構成に加えて、前記振り分け案内部における仕切り壁が、前記正逆２方向へ平行移動、または前記カード型記憶媒体の受入方向側を回動先端側とし前記カード型記憶媒体の受入方向と反対側を回転軸とした回動によって移動可能であることを特徴とする。
【００１４】
また本発明のカード処理装置は、前記振り分け案内部における仕切り壁が、前記正逆２方向と異なる方向へ、平行移動、または回動によって移動可能であることを特徴とする。
【００１５】
また、本発明の遊技媒体排出装置は、上記カード処理装置と連動して、前記カード処理装置の前記カード処理手段によって読み取りまたは書き込んだ情報に応じて遊技媒体を排出するための処理を行うことを特徴とする。
【００１６】
また本発明のカード処理システムは、上記遊技媒体排出装置を複数備え、該複数の遊技媒体排出装置と通信可能に接続され、前記読み取りまたは書き込んだ情報を記憶管理する管理装置を備えることを特徴とする。
【発明の効果】
【００１７】
本発明のカード処理装置によれば、カード貯留庫により多く貯留可能な薄いカードを、振り分け案内部を正逆２方向に精密に移動させてカード貯留庫とカード排出口外へ確実に導くことができ、正逆２方向の精密動作に影響しない方向である正逆２方向と異なる方向に振り分け案内部を移動させてカード貯留庫の一部乃至全部を外部に露出させることができるので、カード貯留庫に詰まった規格外のカード型記憶媒体を、容易に取り除くことができる、というすぐれた効果を奏する。
【発明を実施するための最良の形態】
【００１８】
以下、本発明に係るカード処理装置の好適な実施の形態を、添付図面に基づいて詳細に説明する。
【００１９】
図１は本実施の形態に係るカード処理装置Ａの斜視外観図である。
図１に示すように、カード処理装置Ａの本体２は、シャーシー２ａと、シャーシー２ａの一側面の凹部に嵌合するよう設けられ、シャーシー２ａに対して開閉可能に設けられたドア部材２ｂとから成る。直方体をなす本体２には、その端面に設けられ、ＩＣカード等のカード型記憶媒体Ｃ（以下、単にカードＣと呼ぶ）を受け入れるカード挿入口４と、内部のカード通路６（図１には図示せず）を介してカード挿入口４と連通し、下方に向かって開口するカード排出口８とが形成されている。カード挿入口４、カード通路６、およびカード排出口８は、ドア部材２ｂが閉められた状態で、シャーシー２ａとドア部材２ｂとの間に、カードＣの厚さより若干幅広の細隙状に形成され、カードＣがその板面に平行な方向に通過可能となっている。
【００２０】
カード排出口８の下方には、図示しないカード回収庫が設けられ、カード処理装置ＡはカードＣをカード排出口８から排出することで、カードＣをカード回収庫内に回収することができる。
【００２１】
また、本体２の外面には、接続端子部３４が設けられ、カード処理装置Ａは、例えば貨幣識別装置や玉貸し装置等の、他の機器とデータを送受信可能に設けられる。送受信の処理は、本体２内部に設けられた、ＣＰＵやメモリを備えＲＯＭ等に記憶されたファームウェアプログラムを実行可能な、図示しない制御部によって行われる。
【００２２】
図２〜図４は、本実施の形態に係るカード処理装置Ａの構成を示す説明図である。
図２は、ドア部材２ｂを取り外した本体２（すなわちシャーシー２ａ）を、ドア部材２ｂが取り付けられる側面の側からみた説明図である。なお、図２上、破線で示された部材は、シャーシー２ａの外観からは見られない、シャーシー２ａ内部の構成部材を表す。
図３は、図２の本体２のＸ−Ｘ断面を、本体２の底面側からみた説明図である。
図４は、本体２を、図２の左側からみた説明図である。
なお、図３および図４においては、シャーシー２ａにドア部材２ｂが取り付けられている状態を示している。
【００２３】
図３に示すように、ドア部材２ｂは、その一端側に設けられた軸１０により回動自在にシャーシー２ａに軸支され、シャーシー２ａに対し開閉自在に設けられる。ドア部材２ｂの軸１０が設けられた前記一端側の反対側の他端側には、ラッチ構造（図示せず）が設けられ、ラッチ構造によりドア部材２ｂは閉まった状態でロック可能に設けられる。
【００２４】
図２に示すように、カード通路６は、カード挿入口４と連通し、本体２の奥方向（図２上では右方向）に延びている。カード通路６の奥側（図２上では右側）は、下方に開口するカード排出口８と連通している。
【００２５】
カード排出口８は、図３に示すように、カード通路６のドア部材２ｂ側の側壁と連続する壁部と、その壁部と対向してシャーシー２ａ側に設けられた振り分け案内部としての振り分け案内板１４との間に形成されている。
カード排出口８の、振り分け案内板１４を挟んで反対側には、振り分け案内板１４とシャーシー２ａの壁部との間に、カードＣの数枚分（例として６枚分）の厚さの幅の空間が、カード貯留庫１２として形成されている。
言い換えると、カード排出口８とカード貯留庫１２とは並列して設けられ、板状の振り分け案内板１４が、カード排出口８とカード貯留庫１２との間に、カード排出口８とカード貯留庫１２との仕切り壁として設けられている。
【００２６】
次にカード搬送手段について説明する。
図２に示すように、カード通路６の片側の側壁を形成する、シャーシー２ａの側壁には、カードＣの進行方向（搬送方向）に細長の開口部２０が形成され、開口部２０の両端部に配置されたプーリー１８ａとプーリー１８ｂ間に掛け渡されたタイミングベルト１６が、開口部２０からカード通路６側へやや突出するように配設されている。カード通路６の奥側に位置するプーリー１８ａは、シャーシー２ａに軸２２を介して回転自在に軸支されている。軸２２の一端側には、大歯車２４が、カード搬送手段の駆動源としてのステッピングモータ２６の回転軸に固定されたピニオン２６ａと歯合して設けられている。
この構成により、ステッピングモータ２６が回転駆動することで、駆動ローラーとしてのプーリー１８ａが回転駆動され、伴ってタイミングベルト１６がカード通路６に沿って駆動する。
【００２７】
また、カード通路６の、前記片側の側壁に対向する、ドア部材２ｂ側の側壁からは、図３に示すように、プーリー１８ａおよびプーリー１８ｂのそれぞれに対応する位置に、回転自在の挟圧ローラー２８ａ，２８ｂが、カード通路６側にやや突出して設けられる。
【００２８】
プーリー１８ａおよびプーリー１８ｂは、その回転軸がトーションバネ３２によってそれぞれ挟圧ローラー２８ａ，２８ｂ側に付勢されることで、挟圧ローラー２８ａ，２８ｂにタイミングベルト１６を挟んで圧接される。トーションバネ３２は、シャーシー２ａの内部に固定された支持材３０に取り付けられている。プーリー１８ａおよびプーリー１８ｂ（タイミングベルト１６）に圧接されることにより、挟圧ローラー２８ａ，２８ｂは、プーリー１８ａ，１８ｂおよびタイミングベルト１６に伴って回転される。
【００２９】
なお、本実施の形態においては、プーリー１８ａ，１８ｂを挟圧ローラー２８ａ，２８ｂ側へ付勢して圧接させる構成を採ったが、逆に、挟圧ローラー２８ａ，２８ｂをプーリー１８ａ，１８ｂ側へ付勢して圧接させるよう構成してもよい。
【００３０】
ステッピングモータ２６は、前記制御部によって、正逆転駆動および停止等の駆動が制御される。それに伴い、プーリー１８ａ，１８ｂ、タイミングベルト１６、および挟圧ローラー２８ａ，２８ｂも正逆転および停止制御される。
【００３１】
上記制御部、ステッピングモータ２６、ピニオン２６ａ、大歯車２４、軸２２、プーリー１８ａ，１８ｂ、タイミングベルト１６、および挟圧ローラー２８ａ，２８ｂにより、カードＣを搬送するカード搬送手段が構成される。
【００３２】
次にカード処理手段について説明する。
図２に示すように、カード通路６の側壁内部には、ＩＣカード等のカードＣとデータを送受信して、カードＣからデータを読み取ったり、カードＣにデータを書き込んだりするカードリーダライタとしての、コイル状のアンテナ部３６が設けられる。アンテナ部３６がカードＣから読み取ったデータは前記制御部に送られる。また、制御部はアンテナ部３６を介してカードＣにデータを書き込むことができる。制御部およびアンテナ部３６により、カード処理手段が構成される。
図５は、カードＣが、アンテナ部３６とデータを送受信可能なリードライト位置に位置している状態を示す説明図である。図５に示すように、本実施の形態においては、カードＣのリードライト位置は、リードライト位置に位置するカードＣの先に挿入された奥部が、振り分け案内板１４のカード排出口８側に重なる位置に設定されている。
【００３３】
次に、振り分け案内部としての、板状の振り分け案内板１４について説明する。
図６に、振り分け案内板１４の底面拡大図（図２のＸ−Ｘ断面。ただし図６ではドア部材２ｂあり）を示す。なお、図６においては、説明に不要な部材は省略している。図６（ａ）から分かるように、振り分け案内板１４は、カード排出口８とカード貯留庫１２との間に、カード排出口８とカード貯留庫１２との仕切り壁として、カード通路６を搬送されるカードＣの板面とほぼ平行に設けられている。
【００３４】
振り分け案内板１４の、カードＣの導入側の一端部１４ｘの拡大説明図を、図７に示す。振り分け案内板１４の上下縁部（カードＣの搬送方向に沿った両縁部）には、カード貯留庫１２側にほぼ直角に折れ曲がって形成された折れ曲がり部１４ａ（上縁側は図示せず）が設けられている。言い換えると、振り分け案内板１４は、カードＣの搬送方向に直交する断面が、コの字状となるよう形成されている。また、振り分け案内板１４に対向する、カード貯留庫１２の側壁には、折れ曲がり部１４ａが入り込む溝部（図示せず）が形成されている。
【００３５】
また、振り分け案内板１４の一端部１４ｘ側には、折れ曲がり部１４ａから内側（上方）に、振り分け案内板１４の板面と平行に突出して延び、振り分け案内板１４のカード貯留庫１２側の板面との間に、カードＣが一枚のみ通過可能な幅（即ち、カードＣの一枚分の厚さ以上、かつ二枚分の厚さ未満の幅）の隙間を形成する、カード通過規制部としての円筒形の邪魔ピン１４ｂが設けられている。
【００３６】
また、図６に示すように、邪魔ピン１４ｂのカード貯留庫１２側は、カード貯留庫１２に貯留されたカードＣが出庫される時、そのカードＣを前記隙間に案内するための面取りがなされている。面取りは、その稜線の一方が、邪魔ピン１４ｂと振り分け案内板１４との距離が最も短くなる箇所にくるよう設定され、その稜線からカード貯留庫１２側に向かって斜めに切り落としたようになされる。また、振り分け案内板１４の一端部１４ｘがカード貯留庫１２側の側壁の受け部２ａａに当接する位置にあるときに、プーリー１８ａの周りのタイミングベルト１６の外周をプーリー１８ａの軸線方向に延長したとした半円筒内に邪魔ピン１４ｂが収まるように、前記面取りは形成される。
【００３７】
また、図７に示すように、振り分け案内板１４の一端部１４ｘは、プーリー１８ａ（駆動ローラー）および挟圧ローラー２８ａ（図７には図示せず）と重なる位置に配設され、振り分け案内板１４の一端部１４ｘには、プーリー１８ａ（駆動ローラー）および挟圧ローラー２８ａをよける切り欠き部１４ｃが形成されている。
【００３８】
また、図６に示すように、振り分け案内板１４の、前記一端部１４ｘの反対側の他端部１４ｙ寄りには、対向する（上下の）両折れ曲がり部１４ａのそれぞれの一部から延びる延出部１４ｄが形成される。振り分け案内板１４は、延出部１４ｄに設けられた開口部を貫通する、カードＣの搬送方向に垂直かつ搬送されるカードＣの板面と平行な回転軸１４ｅに軸支されて、回動（移動）可能に設けられる。
【００３９】
また、振り分け案内板１４の、回転軸１４ｅよりも前記他端部１４ｙ側は、本体２から突出している。他端部１４ｙは、シャーシー２ａに固定された支持部材３８上の、付勢部材としてのバネ４０によって、カード貯留庫１２からカード排出口８へ向かう方向（図６（ａ）では上方）に向かって付勢されている。これにより、振り分け案内板１４の、他端部１４ｙの回転軸１４ｅを挟んで反対側の一端部１４ｘ側は、カード排出口８からカード貯留庫１２へ向かう方向（図６（ａ）では下方）に向かって付勢されることとなる。振り分け案内板１４の一端部１４ｘは、シャーシー２ａのカード通路６を形成する側壁部の、受け部２ａａに当接して止められている。
【００４０】
次に、振り分け案内板１４を変位させる案内部駆動手段としての案内板駆動手段について説明する。
支持部材３８に隣接して（図６（ａ）では支持部材３８奥方向に隣接して）、電磁石４２が設けられる。電磁石４２は、前記制御部によって通電、非通電が切り替えられる。
制御部が電磁石４２に通電した時には、電磁石４２は、鉄やステンレス等の金属板で構成された振り分け案内板１４の前記他端部１４ｙを、バネ４０の付勢力に抗してカード貯留庫１２へ向かう方向（図６（ａ）では下方）に向かって引きつける。これにより、図６（ｂ）に示すように、一端部１４ｘ側は、カード排出口８側（図６（ｂ）では上方）へ移動され、ドア部材２ｂのカード通路６を形成する側壁部の、受け部２ｂａに当接する。
また、制御部が電磁石４２の通電を止めた時には、電磁石４２による振り分け案内板１４の引きつけ力が働かなくなるため、振り分け案内板１４の他端部１４ｙは、バネ４０の不勢力によって、カード排出口８へ向かう方向（図６（ｂ）では上方）に向かって移動され、他方、他端部１４ｙの反対側の一端部１４ｘ側は、カード貯留庫１２へ向かう方向（図６（ｂ）では下方）に向かって移動されて、一端部１４ｘは受け部２ａａに当接する、図６（ａ）の位置に復帰する。制御部、バネ４０および電磁石４２により、振り分け案内板１４を駆動する案内板駆動手段が構成される。
【００４１】
なお、振り分け案内板１４の前記他端部１４ｙ側には、振り分け案内板１４本体よりも肉厚の、鉄やステンレス等の金属板１４ｆを取り付け、電磁石４２による吸着力を高めるとよい。
なお、振り分け案内板１４の本体と金属板１４ｆとの間には、キック板４４が設けられるが、これについては後述する。
【００４２】
また、振り分け案内板１４の、前記一端部１４ｘ寄りの中途部には、カード貯留庫１２側に突出する凸部１４ｇが形成される（図２および図９参照）。凸部１４ｇは、カードＣが新たにカード貯留庫１２に貯留される際に、カード貯留庫１２に既に貯留されているカードＣに当接することで、振り分け案内板１４とカード貯留庫１２に既に貯留されているカードＣとの間に、新たに貯留されるカードＣが進入可能な間隙を生じさせる作用をもつ。
なお、凸部１４ｇのより詳細な作用については、後述するカード処理装置Ａの動作説明の中で述べる。
【００４３】
また、カード処理装置Ａは、図９に示すように、カード貯留庫１２内のカードＣの、カード貯留庫１２の奥側の端部側を、振り分け案内板１４に向かって押し付ける付勢部材としての板バネ５２を備える。板バネ５２は、カード貯留庫１２を画成するシャーシー２ａの側壁に一端が固定され、他端はカード貯留庫１２の奥側に向かって延び、振り分け案内板１４に向かって付勢している。
【００４４】
次に、カード取り出し手段を構成する押し出し部材としてのキック板４４について説明する。
キック板４４は、図９に示すように、カードＣの厚さよりも若干薄い平板状に形成され、振り分け案内板１４の他端部１４ｙ側の、振り分け案内板１４の本体のカード貯留庫１２側の板面と金属板１４ｆとの間に配設される。
キック板４４には、その板面から、その板面に垂直な方向に延びるピン４４ａが設けられる。図２に示すように、ピン４４ａが、振り分け案内板１４本体に、カードＣの搬送方向に細長く形成された溝部１４ｈを貫通することで、キック板４４は、振り分け案内板１４のカード貯留庫１２側の面に沿って、搬送方向に摺動可能に設けられる。
【００４５】
図２に示すように、キック板４４に固定されたピン４４ａは、軸５０ａにより回動自在に軸支されたレバー５０に連繋され、レバー５０の回動により、搬送方向に往復摺動可能となっている。レバー５０は、シャーシー２ａの基体にに連続するベース部４６上に固定されたプランジャー型ソレノイド４８の往復駆動部４８ａにより回動駆動される。プランジャー型ソレノイド４８は、前記制御部によって駆動制御される。
なお、キック板４４の作用については、後述するカード処理装置Ａの動作説明の中で詳述する。
【００４６】
また、図２に示すように、カード通路６を形成するシャーシー２ａの側壁には、挿入または搬送されるカードＣを検出する、カード検出手段としてのフォトセンサ５４，５６が設けられる。フォトセンサ５４は、カード通路６のカード挿入口４寄りに設けられる。フォトセンサ５６は、振り分け案内板１４のカードＣの導入側端部１４ｘの近くに、振り分け案内板１４のもう一つの切り欠き部１４ｉを通してカードＣを検出可能に配設される。フォトセンサ５４，５６によるカードＣの有無の検出状態は、前記制御部に伝達される。
【００４７】
次に、カード処理装置Ａの動作について説明する。
以下の動作の説明の前提として、カード処理装置Ａは、パチンコ玉等の遊技媒体の貸し出しシステムに用いられ、パチンコ店（遊技店）のパチンコ台間の台間玉貸し機に組み込まれ、貨幣識別装置や、パチンコ玉（遊技媒体）を貸し出すべく排出する玉貸し装置等と通信可能に接続されているものとする。カード処理装置Ａの制御部は、前記接続端子部３４（図１参照）を介して、貨幣識別装置からは遊技者が投入した貨幣分の有価価値情報を受信でき、また玉貸し装置に対しては任意の有価価値分のパチンコ玉を排出するよう、コマンドや情報を送信することができるものとする。
【００４８】
また、カード処理装置Ａが扱うカードＣには、金額や貸し出し可能玉数等の有価価値を特定可能な有価価値特定情報が記憶されているものとする。
有価価値特定情報は、例えば、金額や貸し出し可能玉数等の有価価値を直接表す情報であってもよいし、各カードＣに固有のＩＤ番号であってもよい。
本実施の形態においては、カードＣには、有価価値特定情報として、金額情報が直接記憶されているものとする。
【００４９】
なお、有価価値特定情報が各カードＣに固有のＩＤ番号である場合には、例えば、遊技店内や遊技店経営会社内に設置された管理コンピュータに、各カードＣのＩＤ番号と、金額や貸し出し可能玉数等の有価価値を表す情報とを、関連付けて記憶させておき、台間玉貸し機がその管理コンピュータと通信して、有価価値を特定および更新できるよう、遊技媒体の貸し出しシステムを構成すればよい。
【００５０】
カード処理装置Ａの動作の説明に移る。
図２において、遊技者等がカード挿入口４からカードＣを差し込むと、フォトセンサ５４がカードＣを検出して制御部がカード挿入を認識する。制御部はステッピングモータ２６を制御してタイミングベルト１６を搬送方向（カード通路６の奥方向）に駆動させる。カードＣは挟圧ローラー２８ａ，２８ｂとタイミングベルト１６との間に挟圧されて、カード通路６内を搬送される。
ここで、振り分け案内板１４は、図６（ａ）に示すように、通常（すなわち電磁石４２に通電を行わない状態では）、バネ４０の付勢力によりカードＣの進入側の端部１４ｘがカード貯留庫１２側の側壁の受け部２ａａに当接した位置で止まっている。この状態で、カードＣを図５のリードライト位置まで搬入させると、図８に示すように、カードＣの搬送方向先端側は、振り分け案内板１４のカード排出口８側の面に沿って進行する。
制御部は、奥側のフォトセンサ５６（図２参照）がカードＣ先端を検出してからのステッピングモータ２６の回転角度（ステップ数）を制御することで、カードＣをリードライト位置に正確に位置決めすることができる。なお、カード搬送手段の駆動源として直流モータを用いた場合には、ロータリーエンコーダを使用すれば、カードＣの正確な搬送位置精度を確保することができる。
【００５１】
続いて、制御部は、アンテナ部３６を介してカードＣと通信を行い、カードＣに記憶された金額情報を読み取り、その金額情報で許される範囲内の所定数のパチンコ玉を排出するよう指示するコマンドを、図示しない玉貸し装置に送信する。玉貸し装置は、指示された分のパチンコ玉を排出し、遊技者は遊技を行うことができる。
制御部は、カードＣに記録されていた金額情報から、排出したパチンコ玉分の金額を差し引いて求めた差し引き金額情報を、アンテナ部３６を介してカードＣに再記録して、カードＣの金額情報を更新する。
【００５２】
ここで、カードＣの更新された金額情報が０となる前に、即ち残金がある状態で、遊技者が遊技を止めた場合には、制御部は、カードＣをカード挿入口４外へ排出する制御を行い、カードＣを遊技者に返却する。この制御は、ステッピングモータ２６を、カードＣをカード挿入口４からリードライト位置へと導いた際とは逆方向に逆転させて、タイミングベルト１６等を逆転させることで行うことができる。
【００５３】
他方、カードＣの更新された金額情報が０となった状態で、遊技者が遊技をやめた場合、制御部は、カードＣをカード貯留庫１２または前記カード回収庫（図示せず）内に回収する処理を行う。これは、金額情報が０となったカードＣが遊技者の手に渡らないようにし、カードＣの金額情報が不法に書き換えられて再利用されるといった犯罪を防ぐ目的と、カードＣを確実に再利用する目的とからである。制御部は、カード貯留庫１２内が満杯、すなわちカード貯留庫１２内に貯留可能枚数（本実施の形態では６枚）分のカードＣが既に貯留されているか否かを判断する。この判断は、カード貯留庫１２にカードＣが搬入出される度にインクリメントまたはデクリメントされる、メモリ上の貯留数カウンタの値を判定することで行われる。この判定の結果、カード貯留庫１２が満杯だった場合には、制御部は、カードＣをカード排出口８外に搬送してカードＣを排出し、カード回収庫に回収させる制御を行う（詳細は後述する）。一方、前記判定の結果、カード貯留庫１２が満杯でない場合には、制御部は、カードＣをカード貯留庫１２内に搬入する制御を行い（詳細は後述する）、前記貯留数カウンタをインクリメントする。
【００５４】
なお、カード貯留庫１２の前記貯留可能枚数は、物理的にカード貯留庫１２内に貯留可能なカードＣの上限枚数に設定してもよいし、物理的にはある程度の余裕を持たせて、上限枚数より少なめに設定してもよい。即ち、カード貯留庫１２が満杯な状態とは、カード貯留庫１２内のカードＣの枚数が、設定された前記貯留可能枚数に達した状態を言い、必ずしもカード貯留庫１２に新たにカードＣを貯留することが物理的に不可能な状態のみを指すわけではない。
【００５５】
制御部の、カードＣをカード排出口８から排出する制御は、ステッピングモータ２６を制御してタイミングベルト１６を搬送方向に、カード排出口８に向かって駆動させることで行うことができる。この制御により、カードＣは、図８に示した位置を経てさらにカード通路６の奥方向（カード排出口８側）に搬送され、カードＣの搬送方向後端部がタイミングベルト１６（プーリー１８ａ、挟圧ローラー２８ａ）を過ぎた時点で、重力によって下方に開口するカード排出口８から落下し、図示しない前記カード回収庫内に回収される。
【００５６】
次に、制御部の、カードＣをカード貯留庫１２内に搬入する制御につき説明する。カードＣのリードライト位置は、図５に示すように、カードＣの先端側が、振り分け案内板１４のカード排出口８側に重なる位置となっている。
ここから、カードＣをカード貯留庫１２内に導くには、制御部は、カードＣを、前記カード搬送手段により一旦振り分け案内板１４による分岐位置よりも前に戻した後、振り分け案内板１４を位置制御して、振り分け案内板１４に対して反対側のカード貯留庫１２へ搬送させる。
【００５７】
すなわち制御部は、まず、ステッピングモータ２６を制御して、カードＣをカード挿入口４側に、搬送方向に逆行するよう搬送し、カードＣの奥側端部が、振り分け案内板１４の端部１４ｘよりもカード挿入口４側に位置するまで（即ち、振り分け案内板１４による分岐位置よりも前の位置に）移動させる。
続いて、図６（ｂ）に示すように、電磁石４２に通電制御を行い、振り分け案内板１４の端部１４ｘがカード排出口８側の側壁の受け部２ｂａに当接するよう位置制御する。ここで、図９（ａ）に示すように、カード貯留庫１２内に既に貯留されているカードＣａは、そのカード貯留庫１２奥側の端部が板バネ５２により振り分け案内板１４に圧接され、カード貯留庫１２の導入側の端部側には振り分け案内板１４の凸部１４ｇが当接するため、カード貯留庫１２の導入側においては、振り分け案内板１４とカード貯留庫１２に既に貯留されているカードＣａとの間には間隙５８が生じている。続いて、ステッピングモータ２６を制御して、カードＣを搬送方向（カード通路６の奥方向）へ搬送することにより、カードＣの搬送方向先端部は振り分け案内板１４に案内されて、カード貯留庫１２側に進入する（図９（ｂ））。この際、カードＣは、間隙５８に進入する。もし凸部１４ｇおよび板バネ５２がなければ、カード貯留庫１２に既に貯留されているカードＣａの位置は安定しないため、カードＣが、カードＣａの端部に当たって引っ掛かり、カード貯留庫１２内にスムーズに進入することができないといった不具合が生じる場合がある。
【００５８】
このようにカードＣの搬送方向先端側をカード貯留庫１２側へ案内させた後、制御部は、電磁石４２の通電を切り、振り分け案内板１４の端部１４ｘをカード貯留庫１２側へ移動するよう制御する。これにより、振り分け案内板１４は、カードＣをカード貯留庫１２側のタイミングベルト１６を介してプーリー１８ａ（駆動ローラー）に圧接させる。こうすることにより、図９（ｃ）のように、プーリー１８ａ（駆動ローラー）は、タイミングベルト１６を介して、カードＣの搬送方向後端部に至るまで、カードＣに好適に当接し、カードＣをカード貯留庫１２内に残らず送りきることができるのである。
さらに、プーリー１８ａおよび挟圧ローラー２８ａは、振り分け案内板１４と重なる位置に配設されているため、カードＣをカード貯留庫の内方に確実に送りきることができるのである。
このようにして、搬入されたカードＣは、カード貯留庫１２内に積層されて貯留される。
【００５９】
なお、リードライト位置が、リードライト位置に位置するカードＣが、振り分け案内板１４のカード排出口８側に重なる位置に設定されていることにより、リードライト位置のカードＣと振り分け案内板１４とが重ならずに搬送方向に直列に並ぶよう設定されている場合に比較して、カード処理装置Ａの搬送方向の長さを短く設計することが可能となり、装置の小型化が図れる。
もちろん、リードライト位置を、リードライト位置に位置するカードＣが、振り分け案内板１４のカード貯留庫１２側に重なる位置に設定してもよい。この場合に、リードライト位置のカードＣを、振り分け案内板１４に対して反対側のカード排出口８側に導く際には、同様に、カードＣを、前記カード搬送手段により一旦振り分け案内板１４による分岐位置よりも前に戻した後、振り分け案内板１４を位置制御して、振り分け案内板１４に対して反対側のカード排出口８へ搬送させる。
【００６０】
次に、台間玉貸し機に設けられた貨幣識別装置に貨幣が投入された場合の、カード処理装置Ａの動作について説明する。
遊技者が、遊戯中に貨幣識別装置に貨幣を投入し、その際に、既にカード処理装置Ａ内のリードライト位置にカードＣがある場合、制御部はそのカードＣの金額情報に、投入された貨幣の金額分を足し合わせて、カードＣの金額情報を、その足し合わせて求められた新たな金額情報に書き換える。これにより、遊技者は、その新たな金額分のパチンコ玉を借り受けることが可能となる。
【００６１】
一方、遊技者が、カードＣを持たずに（即ちカード処理装置ＡにカードＣを挿入せずに）貨幣識別装置に貨幣を投入した場合や、挿入したカードＣがカード貯留庫１２やカード回収庫に回収されてしまった後で貨幣識別装置に貨幣を投入した場合には、制御部は、カード貯留庫１２内に貯留されているカードＣを、カード取り出し手段により、一枚あて、リードライト位置まで搬送して、そのカードＣに投入された金額分の金額情報を書き込んで、遊技を可能とする。
【００６２】
カード貯留庫１２からカードＣを一枚あてリードライト位置まで移動させる際の、制御部の制御を説明する。
まず、制御部は、まずタイミングベルト１６を、搬送方向に逆行、即ち、カード通路６側からカード挿入口４側へ向かうよう、逆駆動させる。続いて、プランジャー型ソレノイド４８を通電駆動させ、図１０に示すように、キック板４４を、カード貯留庫１２内へ向けて移動させる。一方、カード貯留庫１２内のカードは、そのカード貯留庫１２の奥側、すなわちキック板４４側の端部が、板バネ５２により振り分け案内板１４に向けて付勢されることで、最も振り分け案内板１４側のカードＣは振り分け案内板１４に接触して位置している。従って、カードＣの厚さよりも若干薄く形成され、振り分け案内板１４に沿って移動するキック板４４は、最も振り分け案内板１４側のカードＣの端面に当接して、カードＣをカード貯留庫１２の外側へ向かって移動させることとなる。そのカードＣのもう一方の端部は、図１０に示すように、邪魔ピン１４ｂの面取り面に案内されて、振り分け案内板１４と邪魔ピン１４ｂとの間を通過し、タイミングベルト１６と挟圧ローラー２８ａとの間に挿入される。これにより、カードＣはカード搬送手段により搬送されて、リードライト位置まで搬送される。また、制御部は、前記貯留数カウンタをデクリメントする。
【００６３】
なお、このとき、キック板４４または移動されるカードＣとの間の摩擦力等によって、カード貯留庫１２内の他のカードＣａまでもがカード貯留庫１２外へ出て、複数のカードＣ，Ｃａがカード搬送手段に搬送されてしまう不具合が懸念されるが、邪魔ピン１４ｂと振り分け案内板１４との間の隙間は、カードＣ，Ｃａの２枚分の厚さよりも狭く設定されているため、その隙間を通過してカード搬送手段に当接するカードＣは必ず一枚のみとなり、懸念される前記不具合は発生し得ない。
【００６４】
カード搬送手段により再搬送されたカードＣは、リードライト位置に搬送可能され、貨幣識別装置に投入された前記貨幣の金額分の金額情報が書き込まれ、遊技者の遊技に供される。
その後、遊技者が遊技を終えた際には、このリードライト位置のカードＣに対して、カード挿入口４から発行、カード貯留庫１２に再格納、またはカード回収庫に回収される等の処理が可能であることは言うまでもない。
【００６５】
本実施の形態に係るカード処理装置Ａによれば、カード貯留庫１２に貯留したカードＣを発行することができるため、貨幣識別装置に投入された貨幣分の残高を、カード貯留庫１２に貯留されているカードＣに書き込んで発行させるといった機能を実現することができる。つまり、台間玉貸し機に、投入された貨幣分の残高を書き込んだカードＣを発行させる機能を実現させることができる。
【００６６】
さらに、カード処理装置Ａによれば、カード貯留庫１２に入りきらないカードＣは、カード排出口８から排出して落下させることによりカード処理装置Ａの下方の回収庫に回収させる構成を採用しているため、カード貯留庫１２が満杯となっても、店員がカード貯留庫１２からカードＣを取り出す等の処置を行う必要がなく手間が省けると共に、常に台間玉貸し機を運転させておくことが可能となる。また、回収庫の体積を大きくとって多くのカードＣを回収できるよう構成でき、また、回収庫の開閉を容易に構成して、店員等による回収庫のカードＣの収集を容易にすることができる。
また、単純な機構で構成でき、パチンコ台間等の狭い設置スペースに合わせて小型化および薄型化が容易である。
【００６７】
ところで、本実施の形態においては、カード貯留庫１２に貯留可能なカードＣの枚数を６枚に設定しているが、従来の一般的なパチンコ店等の遊技店において、従来の台間玉貸し機で、新たに発行されるカードと、挿入されて回収されるカードとの差し引き枚数を統計した結果、一日の営業中に、新たに発行されるカードが、挿入されて回収されるカードよりも７枚以上多いということはほとんど発生しないことを、本願発明者らは確認している。即ち、一般的な台間玉貸し機に使用する場合には、カード貯留庫１２には、６枚程度のカードＣの貯留があれば十分である。もちろん、本発明のカード処理装置において、カード貯留庫のカード貯留可能枚数は、６枚程度に限定されるものではなく、その枚数は用途に応じて適宜変更可能な設計事項である。
【００６８】
なお、本実施の形態においては、カード型記憶媒体に記録された有価価値特定情報が０の場合に、カード型記憶媒体を回収または貯留するよう構成したが、本発明のカード処理装置はこの用途に限定されない。例えば、有価価値情報が不法に書き換えられてたり、カード型記憶媒体の記憶手段が故障したりしているのを検出した場合に、カード型記憶媒体を回収（排出）するよう構成してもよい。
【００６９】
また、本実施の形態では、本発明に係るカード処理装置を、台間玉貸し機に組み込んで使用しているが、本発明に係るカード処理装置はこれに限定されず、カード型記憶媒体からのデータの読み取りおよび／または該カード型記憶媒体へのデータの書き込みを行う用途であれば、あらゆる用途に使用することができる。
【００７０】
次に図１１から図１５ｂに基づいて、振り分け案内部１４は、カード貯留庫１２の全部（一部でもよい）を外部に露出するよう、通常時には受け入れたカードをカード貯留口１２またはカード排出口８のいずれかに振り分けて案内する振り分け案内部１４のカード挿入口４側の先端の回転方向である正逆２方向１０８、と異なる方向１０１に移動可能とすることで、折れたり変形したカードや他の用途に用いられる規格外の寸法のカードをカード貯留庫１２に受け入れてしまい、その結果詰まってしまい発行不能になってしまった場合、容易に除去可能な本実施の形態について説明する。
【００７１】
図１１は、通常時におけるカード処理装置Ａのドア部材２ｂを開けた状態の斜視による内部構造説明図である。図１２は、詰まった規格外カードを取り出す場合におけるカード処理装置Ａのドア部材２ｂを開けた状態（ホルダー解除時）における斜視による内部構造説明図である。図１３ａは、図１１の通常時におけるレバー操作部１００付近の拡大斜視図である。図１３ｂは、図１１の詰まった規格外カードを取り出す時におけるレバー操作部１００付近の拡大斜視図である。図１４ａは、図１１の通常時におけるカード処理装置の断面説明図である。図１４ｂは、図１１の詰まった規格外カードを取り出す時におけるカード処理装置の断面説明図である。図１５ａは、図１１の通常時におけるカード処理装置の他の態様の断面説明図である。図１５ｂは、図１１の詰まった規格外カードを取り出す時におけるカード処理装置の他の態様の断面説明図である。
【００７２】
図１１において、カード貯留庫１２内が詰まったカードで再発行不能な状態でない通常時においては、上記したように振り分け案内板１４のカード挿入口４側の先端の回転方向である正逆２方向１０８に回転する。その先端部における移動距離は、０．５ｍｍである。移動距離を少なくする理由としては、カード貯留庫１２内になるべく多くの枚数を貯留させるため薄いカードを用いる為高精度に確実に受け入れたカードをカード貯留口１２またはカード排出口８のいずれかに振り分けて案内すること、移動距離を大きくするためのステップモータや電磁石は小型のカード処理装置Ａに搭載できないことなどの理由が上がられる。従って、カード貯留庫１２内が詰まったカードで再発行不能な状態において１０８の方向に、ドア部材２ｂを大きく開いて取り出すことは困難である。
【００７３】
なお、既述した通り、振り分け案内板１４は、図９（ａ）に示す如く、受け入れたカードをカード貯留庫１２にストックする際には、電磁石４２を制御して方向１０８の正方向に回動せしめ、１４ｂと１４ｘの間が０．５ｍｍ幅あける方向に移動させてタイミングベルト１５の移動に伴い、カードＣがカード貯留庫１２に導く。また図８に示す如く、受け入れたカードをカード排出口８から排出する際には、電磁石４２を制御して方向１０８の逆方向に回動せしめ、１４ｘと１４ｂとを当接させて、タイミングベルト１５の移動に伴い振り分け案内板１４の図８においての上方に導く。そして振り分け案内板１４のカード受け入れ方向に対し直角な方向の端部が、方向１０８と異なる方向である方向１０１に回動可能に構成され、当該方向１０１に人手によって振り分け案内板１４は大きく開口する。
【００７４】
そこで図１２において、カード貯留口１２内が詰まったカードで再発行不能な状態時には、ドア部材２ｂを開いて振り分け案内板１４を外部に露出させると、レバー１００を操作し、図１３ａにおける孔１０２に細い棒を差し込んで図１３ｂのようにレバー１００を持ち上げる。すると、断面説明図１４ａ、図１４ｂに示す如く、リンク機構１０３、１０４がレバー１００のスライドに伴い動いて、固定支点１０６を中心に支点１０５、１０７の各支点で支持されて移動しリンク１０４の先端が、振分案内板１４を図中上方に突出するのを防止する位置（図１４ａ）から防止しない位置（図１４ｂ）に退く。振り分け案内板１４は、図１４ａ、図１４ｂにおける左端を回転軸に、右端が反時計回りに手動により９０度回転可能である（カード貯留庫１２の全部を外部に露出）。
【００７５】
また図１５における他の態様としては、振り分け案内板１４の方向１０８への回動の為、回転軸１１１に振り分け案内板１４を回転自在に嵌合させ、カード貯留庫１２内が詰まったカードで再発行不能な状態となったら、レバー１００を図１５ａの矢印方向にスライドさせ、レバー１００の一端に取り付けられた押圧片１１１が、振り分け案内板１４のカード受け入れ方向に対し直角な方向の端部を押圧して、方向１０８と異なる方向である方向１０１に２０度程度回転させる（カード貯留庫１２の一部を外部に露出）。
【００７６】
なお、振り分け案内板１４は、図１４ａ及び図１４ｂにおける左端奥側、図１１及び図１２の左端奥側（図中の最上部）に自在継ぎ手（ボールジョイント）で本体２ａに、回転方位自在かつ回転自在に軸支される。また振り分け案内板１４のカード挿入口４側の先端の回転方向である正逆２方向１０８には、移動幅で０．５ｍｍに制限するための回転角度制限部材（図示しない）が本体２ａに取り付けられるようにしてもよい。回転角度制限部材は、図１４ａ及び図１４ｂにおける振り分け案内板１４の両端（図中１４の左右両端）側それぞれに設けられ、左端側（図中）が  ［  の断面形状、右端側が  ］  の断面形状であり、リンク１０４の左端（図中）部の退きに伴って右方向（図中）に所定の金属案内部材（図示しない）にガイドされて本体２ａに埋没するようにしてもよい。
【００７７】
以上説明したように、
カード型記憶媒体を受け入れるカード挿入口４と、該カード挿入口４と連通するカード通路６と、該カード通路６と連通しカード型記憶媒体を貯留可能なカード貯留庫１２と、該カード貯留庫１２と並列に設けられ前記カード通路６と連通するカード排出口８とが形成された本体２と、
前記カード挿入口８から挿入されたカード型記憶媒体Ｃを、前記カード通路６を通じて、前記カード貯留庫１２内、前記カード排出口８外、および前記カード挿入口４外のいずれかへ導くことが可能なカード導き手段と、
前記カード通路６上のリードライト位置（３６付近）に設けられ、該リードライト位置に導かれたカード型記憶媒体Ｃからのデータの読み取りおよび／または該カード型記憶媒体へのデータの書き込みを行うカード処理手段と、
前記カード貯留部１２と前記カード排出口８との間に配設されて該カード貯留庫１２と該カード排出口８との仕切り壁として形成されるとともに、カード型記憶媒体の受入方向側において該受入方向と異なる方向であって正逆２方向１０１に移動可能に設けられ、該移動した先の位置に応じて、前記カード通路６上のカード型記憶媒体Ｃを、該カード貯留庫１２側または該カード排出口８側に振り分けて案内する振り分け案内部と、
該振り分け案内部の位置を変位させる案内部駆動手段４２と、
前記カード処理手段によって前記リードライト位置のカード型記憶媒体から読み取られまたは該カード型記憶媒体に書き込まれたデータの内容に応じて、前記案内部駆動手段を制御して、該カード型記憶媒体を、前記カード貯留庫１２内、前記カード排出口８外、および前記カード挿入口４外のいずれかへ選択的に搬送させる制御部と、
を備えるカード処理装置Ａにおいて、
前記振り分け案内部１４は、前記カード貯留庫１２の一部乃至全部を外部に露出するよう、前記正逆２方向１０８と異なる方向１０１に移動可能であることを特徴とするカード処理装置。
【００７８】
また、前記カード処理装置Ａは、開くと少なくとも前記振り分け案内部１４を外部に露出状態としたり、閉じると非露出状態とすることが可能なドア部材２ｂを備え、前記ドア部材２ｂを開いて前記振り分け案内部１４を外部に露出状態とした場合に、前記振り分け案内部１４を、前記正逆２方向１０８と異なる方向１０１に前記カード貯留庫の一部乃至全部を外部に露出するよう移動可能としている。
【００７９】
前記振り分け案内部１４における仕切り壁が、前記正逆２方向１０８へ平行移動、または前記カード型記憶媒体の受入方向側を回動先端側とし前記カード型記憶媒体の受入方向と反対側を回転軸とした回動によって移動可能としてもよい。
【００８０】
前記振り分け案内部１４における仕切り壁が、前記正逆２方向と異なる方向へ、平行移動、または回動によって移動可能としてもよい。
【００８１】
上記のカード処理装置Ａと連動して、前記カード処理装置Ａの前記カード処理手段によって読み取りまたは書き込んだ情報に応じて遊技媒体を排出するための処理を行う遊技媒体排出装置としてもよい。遊技媒体を排出するための処理としては、遊技媒体排出装置が直接遊技媒体である玉やメダルを排出するもの、遊技機に対し遊技媒体である玉やメダルを排出するための指示や許可を与えるもの、等が例示できる。
【００８２】
この遊技媒体排出装置を複数備え、該複数の遊技媒体排出装置と通信可能に接続され、前記読み取りまたは書き込んだ情報を記憶管理する管理装置を備えて、遊技媒体排出処理システムを構成してもよい。
【図面の簡単な説明】
【００８３】
【図１】本実施の形態に係るカード処理装置の斜視外観図である。
【図２】本実施の形態に係るカード処理装置の構成を示す側面説明図である。
【図３】本実施の形態に係るカード処理装置の構成を示す底面説明図である。
【図４】本実施の形態に係るカード処理装置の構成を示す説明図である。
【図５】カード型記憶媒体のリードライト位置を示す説明図である。
【図６】振り分け案内板が移動する位置を示す説明図であり、（ａ）は、カード型記憶媒体をカード排出口側へ案内する位置、（ｂ）は、カード型記憶媒体をカード貯留庫側へ案内する位置を示す。
【図７】振り分け案内板の、カード型記憶媒体の導入側の一端部の拡大説明図である。
【図８】振り分け案内板がカード型記憶媒体をカード排出口側へ案内している状態を示す説明図である。
【図９】振り分け案内板がカード型記憶媒体をカード貯留庫側へ案内している状態を示す説明図であり、（ａ）は、振り分け案内板が、カード型記憶媒体をカード貯留庫側へ案内する位置へ移動した状態、（ｂ）は、振り分け案内板が、カード型記憶媒体の搬送方向先端側をカード貯留庫側へ案内している状態、（ｃ）は、振り分け案内板が、カード型記憶媒体の搬送方向後端側を、駆動ローラー（タイミングベルト）に圧接すると共にカード貯留庫側へ案内している状態を示す。
【図１０】カード貯留庫内に貯留されているカード型記憶媒体を、一枚あてリードライト位置へ移動させる際の動作を示す説明図である。
【図１１】通常時におけるカード処理装置Ａのドア部材２ｂを開けた状態の斜視による内部構造説明図である。
【図１２】詰まった規格外カードを取り出す場合におけるカード処理装置Ａのドア部材２ｂを開けた状態における斜視による内部構造説明図である。
【図１３ａ】図１１の通常時におけるレバー操作部１００付近の拡大斜視図である。
【図１３ｂ】図１１の詰まった規格外カードを取り出す時におけるレバー操作部１００付近の拡大斜視図である。
【図１４ａ】図１１の通常時におけるカード処理装置の断面説明図である。
【図１４ｂ】図１１の詰まった規格外カードを取り出す時におけるカード処理装置の断面説明図である。
【図１５ａ】図１１の通常時におけるカード処理装置の他の態様の断面説明図である。
【図１５ｂ】図１１の詰まった規格外カードを取り出す時におけるカード処理装置の他の態様の断面説明図である。
【符号の説明】
【００８４】
Ａ  カード処理装置
Ｃ，Ｃａ  カード（カード型記憶媒体）
２  本体
２ａ  シャーシー
２ｂ  ドア部材
４  カード挿入口
６  カード通路
８  カード排出口
１２  カード貯留庫
１４  振り分け案内板（振り分け案内部）
１４ａ  折れ曲がり部
１４ｂ  邪魔ピン（カード通過規制部）
１４ｃ  切り欠き部
１４ｅ  回転軸
１４ｆ  金属板
１４ｇ  凸部
１４ｘ  カード型記憶媒体の導入側端部（一端部）
１４ｙ  カード型記憶媒体の導入側の反対側の端部（他端部）
１６  タイミングベルト
１８ａ  プーリー（駆動ローラー）
１８ｂ  プーリー
２６  ステッピングモータ
２８ａ，２８ｂ  挟圧ローラー
３４  接続端子部
３６  アンテナ部
４０  バネ
４２  電磁石
４４  キック板
４８  プランジャー型ソレノイド
５２  板バネ
５４，５６  フォトセンサ
５８  間隙
１００  レバー操作部
１０１  振り分け案内板１４の通常時における移動方向
１０２  孔
１０３，１０４  リンク機構
１０５，１０７  支点
１０６  固定支点
１１０ 
回転軸
１１１ 
押圧片
【図８】
2010240269.tif 000003
【図１２】
2010240269.tif 000004
【図１３ａ】
2010240269.tif 000005
【図１３ｂ】
2010240269.tif 000006
【図１４ａ】
2010240269.tif 000007
【図１４ｂ】
2010240269.tif 000008
【図１】
2010240269.tif 000009
【図２】
2010240269.tif 000010
【図３】
2010240269.tif 000011
【図４】
2010240269.tif 000012
【図５】
2010240269.tif 000013
【図６】
2010240269.tif 000014
【図７】
2010240269.tif 000015
【図９】
2010240269.tif 000016
【図１０】
2010240269.tif 000017
【図１１】
2010240269.tif 000018
【図１５ａ】
2010240269.tif 000019
【図１５ｂ】
2010240269.tif 000020